(57)【要約】【課題】操作性と視認性が良好な生体の磁場計測装置の表示方法を提供する。【解決手段】フロ−は４つに分かれる。１つによれば、被検者を指定する（Ｓ−５−１）ことで被検者選択が終了する。もう１つによれば、「リスト（Ｌ）」−「検索（Ｓ）」というメニュ−選択により検索ダイアログボックスを開いて（Ｓ−５−２）、被検者検索条件を入力する（Ｓ−５−３）。これにより被検者が検索され（Ｓ−５−４）、被検者リスト画面上の被検者リストの表示内容が変更される（Ｓ−５−５）。更にもう１つによれば、「リスト（Ｌ）」−「解除（Ｘ）」というメニュ−選択により、選択された被検者を全被検者リストに戻し（Ｓ−５−６）、被検者リストの表示内容の変更を行う（Ｓ−５−５）。残りの１つによれば、「リスト（Ｌ）」−「登録（Ｒ）」というメニュ−選択により被検者登録ダイアログボックスを開き（Ｓ−５−７）、被検者情報を入力する（Ｓ−５−８）。【選択図】図１７
2004358279.tif 000002
【特許請求の範囲】
【請求項１】
複数の磁気センサにより、被検者の生体から発せられる磁場を検出し、検出結果に基づく計測データを任意の表示形態で表示する磁場計測装置の表示方法であって、
被検者リスト、データ計測またはデータ解析を含む操作メニューを選択する処理機能表示部と、被検者情報表示部と、データ表示領域とを備えた操作情報表示画面を表示し、
該データ表示領域は、左右に分割される磁場図表示画面に切り替えることが可能であり、
該磁場図表示画面は、左側に配置される該複数の磁気センサで計測された波形図を表示する解析データ表示部と、右側に配置される該解析データ表示部に表示された波形を処理操作するための操作領域表示部とを備え、
該操作領域表示部は、波形を処理する操作メニューとしてヒートフラッシュを備え、当該ヒートフラッシュが選択されると、該複数の磁気センサの選択を受け付けるヒートフラッシュ操作画面を該操作情報表示画面上に新たに表示することを特徴とする磁場計測装置の表示方法。
【請求項２】
請求項１において、
前記ヒートフラッシュ操作画面は、前記複数の磁気センサを選択するチャネルと、ヒートフラッシュを実行する実行キーと、キャンセルキーとを備えることを特徴とする磁場計測装置の表示方法。
【発明の詳細な説明】
【技術分野】
【０００１】
本発明は、生体の脳の神経活動や心臓の心筋活動等、生体内の電流などが原因で発生する生体の磁場を計測する磁場計測装置の表示方法に関する。
【背景技術】
【０００２】
従来から磁気センサである超伝導量子干渉素子(ＳＱＵＩＤ)を用いて、生体から発生する微弱な磁場の分布を測定し、その測定結果から、生体内部の活動電流の位置を推定し、その分布をイメージングする多チャンネルの生体磁気イメージング装置が知られている。そのような従来例は、たとえば特許文献１あるいは特許文献２等の公開公報に開示されている。
【０００３】
【特許文献１】特開平４ー３１９３３４号
【特許文献２】特開平５ー１４６４１６号
【発明の開示】
【発明が解決しようとする課題】
【０００４】
前記従来例は、生体磁気イメージング装置に関する動作原理に関するものであり、その開示内容には実施化する上での技術課題や解決手段が開示されていない。また、前記従来例は脳の内部に発生する生体活動電流に関するものであって、他の部位に関する具体的な開示はなされていない。
本発明の目的は、操作性と視認性が良好な生体の磁場計測装置の表示方法を提供することにある。
【課題を解決するための手段】
【０００５】
上記目的を達成するために、本発明は、複数の磁気センサにより、被検者の生体から発せられる磁場を検出し、検出結果に基づく計測データを任意の表示形態で表示する磁場計測装置の表示方法であって、被検者リスト、データ計測またはデータ解析を含む操作メニューを選択する処理機能表示部と、被検者情報表示部と、データ表示領域とを備えた操作情報表示画面を表示し、該データ表示領域は、左右に分割される磁場図表示画面に切り替えることが可能であり、該磁場図表示画面は、左側に配置される該複数の磁気センサで計測された波形図を表示する解析データ表示部と、右側に配置される該解析データ表示部に表示された波形を処理操作するための操作領域表示部とを備え、該操作領域表示部は、波形を処理する操作メニューとしてヒートフラッシュを備え、当該ヒートフラッシュが選択されると、該複数の磁気センサの選択を受け付けるヒートフラッシュ操作画面を該操作情報表示画面上に新たに表示することを特徴とする。
【０００６】
また、本発明は、ヒートフラッシュ操作画面が、複数の磁気センサを選択するチャネルと、ヒートフラッシュを実行する実行キーと、キャンセルキーとを備えることを特徴とする。
【発明の効果】
【０００７】
本発明によれば、操作性と視認性が良好な生体の磁場計測装置の表示方法が提供される。
【発明を実施するための最良の形態】
【０００８】
図１は本発明が実施される生体磁気計測装置の一実施例の概略構成を示す。
【０００９】
同図において、環境磁気雑音の影響を除去するために、生体磁気計測装置は磁気シールドルーム１内に設置される。生体からなる被検体である被検者２は、ベッド３に仰向け状態で計測が行われる。被検者の生体面（胸部の場合は一般に胸壁に平行な面）はベッド３の面と略平行であるとし、そしてこの面は直交座標系（ｘ、ｙ、ｚ）のｘ−ｙ平面と平行であるものとする。被検者の胸部は曲面であると共に傾いているが、説明を簡単にするために略平行とする。
【００１０】
被検者２の胸部の上方には、冷媒である液体Ｈeで満たされたデユワ４が配置され、該デユワは超伝導量子干渉素子（ＳＱＵＩＤ＝Ｓuperconducting Ｑuantum Ｉnterference Ｄevice）とそのＳＱＵＩＤに接続された検出コイルとを含む複数個の磁気センサを収容している。液体Ｈｅは磁気シールド１の外部にある自動補給装置５から連続的に補給される。
【００１１】
磁気センサの出力は、被検者２から発生して検出コイルにより検出される生体磁場の強度（磁束密度と考えることもできる）と特定の関係をもつ電圧を出力し、その出力がＦＬＬ（Flux Locked loop）回路６に入力される。このＦＬＬ回路６は、ＳＱＵＩＤの出力を一定に保つように、ＳＱＵＩＤに入力された生体磁場（生体磁気）の変化を帰還コイルを介してキャンセルする（これを磁場ロックと呼ぶ）。その帰還コイルに流した電流を電圧に変換することにより、生体磁場信号の変化と特定の関係にある電圧出力を得ることができる。このように帰還コイルを介して検出する方式を取っているので、微弱の磁場を高感度に検出できる。上記出力電圧は増幅器・フイルター・増幅器（ＡＦＡ）７に入力され、その出力はサンプリングされて、Ａ／Ｄ変換され、計算機８に取り込まれる。
【００１２】
計算機８はパーソナルコンピュータからなり、８−１はそのデイスプレイ部、８−２はキーボード、そして８−３はマウスを示す。マウス８−３は画面上でカーソルを移動させて処理対象を選択するのに用いられる。この操作はキーボードを操作することによっても行うことができる。ＡＦＡ７の入力ゲイン（Ｉgain）および出力ゲイン（Ｏgain）は調整可能であり、また、ＡＦＡ７は第１の基準周波数以下の周波数信号を通過させるローパスフイルタ（ＬＰＦ）、第１の基準周波数よりも低い第２の基準周波数以上の周波数信号を通過させるハイパスフイルタ（ＨＰＦ）および商用電源周波数をカットするノッチフィルタ（ＢＥＦ）を含む。計算機８は各種の処理を行うことができ、その処理結果はデイスプレイ部８−１に表示され得る。なお、図１で示す前記計算機８は一実施例を示したものであり、これに限定されるものではない。例えば、タッチパネルを備えたデイスプレイを備えたものや、マウスに変えて他の座標指示装置、例えばトラックボールやジョスティック等を使用したものでもよい。また場合によっては公衆電話回線を介して接続される計算機でもよい。
【００１３】
ＳＱＵＩＤとしては例えば１例として直流ＳＱＵＩＤが用いられる。ＳＱＵＩＤに外部磁場が与えられたときに、それに対応する電圧（Ｖ）が発生するようにＳＱＵＩＤには直流バイアス電流（Ｉbias）が流される。その外部磁場を磁束Φで表すと、ＶのΦに対する特性曲線すなわちΦ−Ｖ特性曲線は周期関数で与えられる。計測に当っては、それに先立って、ＦＬＬ回路６のオフセット電圧（ＶOFF）を調整してΦ−Ｖ特性曲線の直流電圧をゼロレベルにする操作が行われる。更に、ＡＦＡ７の入力がゼロのときその出力がゼロとなるようにＡＦＡ７のオフセット電圧（ＡOFF）の調整が行われる。
【００１４】
ＳＱＵＩＤに外部から大きな磁場がかかると、その磁場がＳＱＵＩＤによってトラップされ、その正規の動作がなされなくなる。その場合は、ＳＱＵＩＤを加熱して一旦常伝導状態にし、そしてその後その加熱を止めて、トラップされた磁場を取り除くことができる。その場合の、ＳＱＵＩＤの加熱操作をヒートフラッシュと呼ぶ。
【００１５】
図２は磁気センサの配置構成を示す。磁気センサの検出コイルには生体磁場の接線成分（生体面すなわちｘ−ｙ平面に略平行な成分）を検出するコイルと生体磁場の法線成分（生体面すなわちｘ−ｙ平面に直交する成分）を検出するコイルがある。生体磁場の接線成分を検出するコイルとしては、コイル面がｘ方向およびｙ方向をそれぞれ向いた２つのコイルが用いられ、また、生体磁場の法線成分を検出するコイルとしてはコイル面がｚ方向を向いたコイルが用いられる。複数個の磁気センサ２０−１〜２０−８、２１−１〜２１−８、２２−１〜２２−８、２３−１〜２３−８、２４−１〜２４−８、２５−１〜２５−８、２６−１〜２６−８および２７−１〜２７−９は、図２に示されるように、生体面すなわちｘ−ｙ平面と略平行な面上にマトリックス状に配置される。磁気センサの数は任意であってよいが、図２では、磁気センサのマトリックスは８行８列からなっているから、磁気センサの数は８×８＝６４である。各磁気センサは、図２に示されるように、その長手方向が生体面すなわちｘ−ｙ平面に対して垂直な方向（ｚ方向）と一致するように配置される。なお、この一実施例ではベッド面とセンサのＸ−Ｙ面とを平行にしているが、測定精度を高めるには体に接近させる方が良く、傾けるようにすることができる。但し、被検者である人体は常に動いているので、人体に密着させるとこの動きが検出部を動かし、かえって高精度の検出が困難となる。
【００１６】
図３は磁気センサの各々の、生体磁場の法線成分Ｂzを検出するセンサの構成を示す。同図において、超伝導線（Ｎｉ−Ｔｉ線）で作られたコイルはそのコイル面がｚ方向を向くように配置される。このコイルは互いに逆向きの２つのコイル１０および１１の組み合わせからなり、被検者２に近い方のコイル１０は検出コイルとされ、遠い方のコイル１１は外部磁場雑音を検出する参照コイルとされる。外部磁場雑音は被検者よりも遠い信号源から生じており、したがって、その雑音信号は検出コイル１０および参照コイル１１の両方によって検出される。一方、被検者からの磁場信号は微弱であり、したがって、その生体磁場信号は検出コイル１０によって検出されるが、参照コイル１１はその生体磁場信号にほとんど感応しない。このため、検出コイル１０は生体磁場信号と外部磁場雑音信号を検出し、参照コイル１１は外部磁場雑音信号を検出するから、両コイルで検出された信号の差をとることによりＳ／Ｎ比の高い生体磁場の計測が可能となる。これらのコイルはＳＱＵＩＤ１２を実装した実装基板の超伝導線を介してＳＱＵＩＤの入力コイルに接続され、これによって、検出された生体磁場信号の法線方向の成分ＢzがＳＱＵＩＤに伝達される。
【００１７】
図４は磁気センサの各々の、生体磁場の接線成分ＢxおよびＢyを検出するセンサの構成を示す。同図において、接線方向の生体磁場成分検出用のセンサでは平面コイルが用いられる。すなわち、検出コイル１０’および１０”並びに参照コイル１１’および１１”は平面コイルからなり、これらは互いにｚ方向において間隔づけられている第１および第２の平面にそれぞれ配置される。これらのコイルは法線成分用と同様にＳＱＵＩＤ１２’および１２”の実装基板の入力コイルに接続される。４角柱の互いに直交する２面に、これらのＢx成分検出用のセンサ１３およびＢy成分検出用のセンサ１４が貼付けられ、これによってＢx成分およびＢy成分を検出し得るセンサが形成される。
【００１８】
接線成分Ｂｘ、Ｂｙについては、これを図４に示される磁気センサを用いて検出する以外に、図３の磁気センサで得られた法線成分Ｂzをｘ、ｙについて偏微分して求めてもよい。この場合は一つの磁気センサで接線成分Ｂx、Ｂyと法線成分Ｂzとの両方を検出し、測定することができる。
【００１９】
図５は磁気センサと被検者２の被計測部である胸部３０との位置関係を示す。示されている点は図２に示されるマトリックス上の行と列との交点すなわち被検者２の計測点すなわち計測位置を表す。これらの各計測位置をチャンネルとも呼ぶ。図からわかるように、この実施例では、被検者２の身長方向をｙ方向とし、被検者２の横方向をｘ方向としている。
【００２０】
図６は図５に示されるそれぞれの計測位置の生体磁場の測定結果を示す。この測定結果は各計測位置に対応する磁気センサでそれぞれ検出された信号を基に上述の処理を行うことで得られた、時間的に変化する生体磁場波形をマトリックス中の対応するチャンネル毎に示すものである。この実施例では心臓の筋肉が発する磁場を検出できる位置に各チャンネルを設けたので、図６の波形は心磁波形を示している。なお、心臓の筋肉から発せられる磁場を計測することで得られた波形を心磁波形と呼ぶ。図６に示されるように、チャンネル毎に計測された計測データをチャンネル毎にその位置に対応させて表示する場合、これをグリッドマップ表示と呼ぶ。図６はある健常者についての心磁の計測結果の波形を示す。ここで（ａ）は接線成分Ｂxの心磁波形を、（ｂ）は接線成分Ｂyの心磁波形を、そして（ｃ）は法線成分Ｂzの心磁波形をそれぞれ示す。
【００２１】
図７はある健常者について特定の２チャンネルに絞って計測された接線成分Ｂxの心磁波形を示す。実線はあるチャンネルの、点線は他のチャンネルの心磁波形を示す。心臓の心室が脱分極した時間帯Ｔ1つまり収縮期のＱＲＳ波でのそれぞれの波形ピークの時間がｔQ、ｔRおよびｔSとしてそれぞれ示されている。また、心臓の再分極過程（拡張期）であるＴ波の時間帯はＴ2として示されている。計測されたデータを表示する場合、グリッドマップ表示の他に、行毎に又は列毎に単一チャンネルのデータを表示するようにしてもよいし、全チャンネル又は複数のチャンネルのデータを重ねて表示するようにしてもよい。前者を単一波形表示、後者を重ね波形表示と呼ぶ。
【００２２】
得られる心磁波形データについては、その平均化（アベレージング）処理を行ったり、等磁線図や時間積分図等を作成したりして、その結果を表示することができる。たとえば、図７を参照するに、ＱＲＳ波の立ち上り部分がしきい値ＳLと一致した時点から予め定められた時間（ｔOFF）だけ遡り、その遡った時点ｔ1から予め定められた時間Ｔ3だけ経過した時点ｔ2までの間のデータを予め定められた回数だけ加算することが行われる。これがアベレージングで、予め定められる時間Ｔ3をアベレージング時間、ｔOFFをオフセット時間と呼ぶ。心磁波形データは予め定められた時間範囲に亘って積分されてもよい。その時間積分値が等しい点（チャンネル）を結んで作られたマップを時間積分図と呼ぶ。また、心磁波形信号値が等しい点を結んで作られたマップを等磁線図と呼ぶ。なお、各チャンネルは粗く設定されているので、予め等磁線の間隔つまり磁場強度差を設定して各チャンネル間を直線補間して等磁線を描くことにより、より診断に適した図を作ることができる。図７に示される心磁波形について言えば、時点ｔ1からＱＲＳ波のピーク位置時点（ｔR時点）までの時間を伝播時間と呼び、その伝播時間が等しい点を結んで作られたマップを伝播時間図と呼ぶ。しきい値ＳLの設定レベルは変更可能である。ｔ1時点については、これを、ＱＲＳ波の立ち上り部分がしきい値ＳLと一致した時点を基準として決定しているが、ＱＲＳ波の立ち下がり部分がしきい値ＳLと一致した時点を基準にして決定してもよい。ｔ1時点は更に、ＱＲＳ波のピーク位置時点（ｔR時点）を検出し、この時点を基準として決定されてもよい。計測された生体磁場信号は生体内の電気的生理現象によって生成されるもので、その発生源は電流双極子モデルによって近似される。その磁場発生源の電流双極子は等磁線図上に合成表示され、それを磁場源表示と呼ぶ。
【００２３】
被検者の登録から、その登録された被検者のデータ計測を行って、その計測されたデータの解析を行うまでの一連の操作はデイスプレイ８−１に表示される表示画面を見ながら行われる。このため、その一連の操作の説明に先立ってまずその表示画面のレイアウトを説明する。
【００２４】
図８は、図１のデイスプレイ８−１に表示される表示画面の基本的なレイアウトを示す。表示画面の上方部は上から順番に配置されたタイトルバー部８０１、メニューバー部８０２およびアイコンが配置されているツールバー部８０３によって占められる。上記各部は表示領域やエリアと考えることもできる。これらの配置は他の処理目的、たとえば、被検者の登録や読み出し、磁場の計測、計測データの解析のための処理、などにおいてもその表示画面で共通して表示される。これにより使用し易さが増し、計測や処理の時間が短縮できる。
【００２５】
表示画面の中央部は左から右へ順番に配置された被検者情報部８０４、線図や波形のような解析データが表示される解析データ部８０５および操作領域部８０６によって占められている。また、下部はステータスバー８０７で占められ、これは、左側に配置された、次の操作に関するガイドメッセージを表示するメッセージバー部８０７−１とその右側に配置された日時表示部８０７−２からなる。なお、前記メッセージバー部８０７−１と前記日時表示８０７−２を１つの表示領域としてもよい。
【００２６】
この実施例における表示画面では、常に最上部にこのシシテムの名称が表示されるタイトルバー部８０１と、このシシテムの基本的な操作を行うメニューバー部８０２、および前記メニューバー部８０２における使用頻度の高い操作が可能なツールバー部８０３が配置されているので、使用者は表示画面が変わるたびに操作エリアを探す必要がなく、常に表示画面の上部を見れば現在動作中のシステムを知ることができる。しかも、表示画面の上部は、人が文章を読む場合を想定すると明らかなように、先ず最初に目を向ける部分であることから、このシステムの操作における基本的な事項を最上部に設けることで、自然な形で使いやすさを向上している。また、表示画面の中央部は、その中央にはこの表示画面の主体をなす解析 データ部８０５を大きく設けることで見易さを向上するとともに、その右側にこの表示画面に特有の操作領域部８０６を設けることで、右手操作における表示画面と操作部の配置と同様な配置としているので、違和感なく操作を行うことができる。したがって、この表示画面をタッチパネル付きの表示画面に採用しても、操作領域部８０６を操作する右手が解析データ部８０５を邪魔することがない。また、同様に、解析データ部８０５の左側に確認機能しかない被検者情報部８０４を設けているので、常に患者を確認しながら操作を行うことができる。しかも、この左側の位置は、右手操作における最も遠い位置となるのでタッチパネル付きの表示画面に採用しても表示の見易さに影響をきたすことがない。
【００２７】
また、解析データ部８０５および操作領域部８０６は被検者リストおよびその被検者のデータリストが表示されるときだけはそれらによって置き換えられる（図２４）。被検者情報部８０４には、被検者リスト画面（図２４）が表示されているときはその画面中の被検者リストにおいてカーソルが置かれる被検者の情報が常時表示され、また、解析データ部に線図や波形のような解析データが表示されているときは（図２５〜３４）、その表示されている解析データが得られた被検者の情報が常時表示される。これによって、表示されている解析データとその解析データが得られた被検者との関係を明確に知ることができる。このように、このシステムの表示画面においては、メニューバー部８０２と同様に、常に、被検者情報部８０４が表示画面の定位置（左側）に表示されているので、使用者は表示画面が変わるたびに被検者情報エリアを探す必要がなく、常に表示画面の所定位置（左側）を見れば知ることができる。
【００２８】
タイトルバー部にはフレームの名称、具体的には、「Multichannel MCG System」という名称が表示される（図２４〜３４）。操作領域部にはボタンやテキストボックスのような操作要素が配置されている。メニューバー部は操作メニューを選択する部分で、メニューは「ファイル（Ｆ）」、「編集（Ｅ）」、「リスト（Ｌ）」、「データ計測（Ｑ）」、「データ解析（Ａ）」および「ヘルプ（Ｈ）」からなり、操作の順序にしたがって配置されている。
【００２９】
図９は表示画面中のメニュー部におけるそれぞれの操作メニューの内容を示し、これらのメニューの内容はそれぞれ対応するメニューボタンをクリックすることによってプルダウンメニューとして表示される。このため、操作メニューを必要としないときは、前記各メニューを呼び出すためのキーワードのみメニューバー部にコンパクトに表示しているので、解析データ部や操作領域部等の各作業で必要な表示エリアを広く設定することができる。そして、操作メニューが必要なときは、操作手順にしたがって配列された前記キーワードをメニューバー部から選択することによって表示して操作指示することができる。この際、前記キーワードは、文字の配列（左から右）に準じて配列されているので、自然な形で操作指示することができる。
【００３０】
「ファイル（Ｆ）」のプルダウンメニューは、ページレイアウトダイアログボックス（図示せず）を開いて、ページレイアウトをセットする「ページレイアウト（Ｕ）」、印刷前のプレビューのための「プレビュー（Ｖ）」、データの印刷のための「印刷（Ｐ）」およびMultichannel MCG Systemを終了させる「心磁システムの終了（Ｘ）」という項目を含む。
【００３１】
「編集（Ｅ）」のプルダウンメニューは「削除（Ｄ）」という項目を含む。被検者リスト画面（図２４）上の被検者リスト中の被検者の計測データは同画面上のデータリストに表示されるが、「削除（Ｄ）」という項目はそのデータリスト中のカーソルが置かれたデータを削除するためのもので、予めデータが選択されていなければならない。このメニューがクリックされると、削除してよいかどうかの確認を行う確認ダイアログボックスが開かれる。削除が必要な場合は、そのダイアログボックス中の「ＯＫ」というボタンがクリックされ、削除をキャンセルしたいときは「キャンセル」というボタンがクリックされる。この確認ダイアログボックスの表示および操作により、誤って被検者の計測データを削除する誤操作を軽減することができる。
【００３２】
「リスト（Ｌ）」のプルダウンメニューは「登録（Ｒ）」、「リスト（Ｌ）」、「削除（Ｄ）」、「検索（Ｓ）」および「解除（Ｘ）」という項目を含む。プルダウンメニューの「登録（Ｒ）」というボタンがクリックされると、図１０に示される被検者登録ダイアログボックスが開かれる。これは被検者に関するデータを登録するときに用いられるもので、登録できる項目は登録年月日、所定桁までの被検者のＩＤ番号、氏名、生年月日、身長、体重、性別、病気の分類情報を示す分類および被検者コメントである。そのダイアログボックス中の「登録」ボタンがクリックされると、登録のために入力されたデータは登録されると共に、その入力ボックスはすべてクリアされて再入力が可能となり、「キャンセル」というボタンがクリックされれば、そのすべての入力ボックスはクリアされ、そして「終了」というボタンがクリックされれば、被検者登録ダイアログボックスが閉じられる。
【００３３】
プルダウンメニューの「リスト（Ｌ）」がクリックされると、被検者リスト画面（図２４）が表示される。また、プルダウンメニューの「削除（Ｄ）」は被検者リスト画面（図２４）上の被検者リスト中のカーソルが置かれた被検者を削除するためのもので、それがクリックされると、削除前に、プルダウンメニューの「削除（Ｄ）」がクリックされるときと同様に削除してよいかどうかの確認を行う確認ダイアログボックスが開かれ、削除が必要な場合は、そのダイアログボックス中の「ＯＫ」というボタンがクリックされ、削除をキャンセルしたいときは「キャンセル」というボタンがクリックされる。被検者が削除されると、その被検者に関するデータリスト中のすべてのデータも削除される。
【００３４】
プルダウンメニューの「検索（Ｓ）」がクリックされると、図１１に示される検索ダイアログボックスが表示される。被検者およびデータを検索して、被検者リスト画面に検索された被検者およびデータのみを表示する。被検者およびデータの検索対象は全被検者および全データとする。被検者名、登録日付、性別、データの種別、計測日付、診断結果、コメント、検査技師、体位などをキーワードとして与えてデータが検索される。前記のキーワードを複数個組み合わせた複合検索を行うことができる。プルダウンメニューの「解除（Ｘ）」は検索された被検者およびデータだけの表示を解除して全被検者および全データを表示するのに用いられる。「データ計測（Ｑ）」のプルダウンメニューは「調整値ファイル（Ｆ）」、「全自動調整（Ａ）」、「ＶOFF調整（Ｖ）」、「マニュアル調整（Ｍ）」、「調整値ファイル（Ｆ）」、「計測パネル（Ｐ）」、「自動波形診断（Ｄ）」および「ＡＦＡオフセット調整（Ｏ）」という項目を含む。
【００３５】
「調整ファイル（Ｆ）」がクリックされると、「開く（Ｏ）」、「上書き保存（Ｓ）」および「名前をつけて保存（Ａ）」を内容とするサブプルダウンメニューが表示される。サブプルダウンメニュー中の「開く（Ｏ）」はシステム調整画面（図３４）を表示して、指定された調整値ファイルを開いてシステムの調整値すなわちＩbiasおよびＶOFFをシステムに設定するのに用いられる。「上書き保存（Ｓ）」は確認ダイアログボックスを開いて、現在の調整値を現在開かれている調整値ファイルに上書き保存するのに用いられる。「名前をつけて保存（Ａ）」は現在の調整値データを名称を変えて別の調整値ファイルに保存するのに用いられる。
【００３６】
プルダウンメニューの「全自動調整（Ａ）」が選択されると、システム調整画面（図３４）が表示され、後述の図２２のフローにしたがってバイアス電流ＩbiasおよびＦＬＬ回路６のオフセット電圧ＶOFFが自動的に調整される。「ＶOFF調整(Ｖ)」が選択されると、システム調整画面（図３４）が表示され、後述の図２３のフローにしたがってＦＬＬ回路６のオフセット電圧ＶOFFが自動的に調整される。「マニュアル調整（Ｍ）」が選択されると、図１２に示されるマニュアル調整ダイアログボックスが開かれる。オペレータはスクロールバーとマウスを使ってチャンネルを選択し、バイアス電流Ｉbiasおよびオフセット電圧ＶOFFを変更する。入力された値に問題なければ、「ＯＫ」ボタンをクリックすることによりその値の設定が行われる。「キャンセル」ボタンがクリックされると、変更は無効となり、ダイアログボックスが閉じられる。
【００３７】
「計測パネル（Ｐ）」がクリックされると、グリッドマップを含むデータ計測画面（図２５）が表示される。「自動波形診断（Ｄ）」がクリックされると、図１３に示される自動診断ダイアログボックスが開かれる。自動波形診断は、図３４の表示画面中のΦ−Ｖ特性曲線の振幅、中央値および周期を自動的に調べ、Φ−Ｖ特性曲線を表示する際あるいは表示中の同曲線の表示を最新状態に更新する際に、指定された範囲外にあるチャンネルを計測に不適当な状態としてオペレータに通知するものである。計測に不適当な状態のチャンネルが検出された場合、エラーダイアログボックスを開いてエラーメッセージを表示することによってオペレータに通知するが、当該チャンネルのΦ−Ｖ特性曲線を別色で表示して不適当な状態であることを示してもよい。振幅最小値がチェックされている場合、Φ−Ｖ特性曲線における最大値と最小値の差が振幅最小値よりも小さいときが計測に不適当な状態であるとする。中央値が指定されている場合、前記最大値と最小値との平均値の絶対値が指定された中央値よりも大きい場合が計測に不適当な状態であるとする。周期が指定されている場合、Φ−Ｖ特性曲線におけるΦの周期が第１のテキストボックス（下限値）と第２のテキストボックス（上限値）で指定された範囲外にあるときが計測に不適当な状態であるとする。振幅最小値、中央値および周期の自動診断を有効にするには、各項目の左側のチェックボックスをマウスでクリックして×印が表示されている状態にして、対応するテキストボックスに所望する値を入力すればよい。このようにして入力された自動診断のパラメータは「ＯＫ」ボタンを押すことによって有効となり、ダイアログボックスが閉じられる。「キャンセル」ボタンが押されると、入力されたパラメータは無効となり、ダイアログボックスは閉じられる。「ＡＦＡオフセット調整（Ｏ）」はＡＦＡ７のオフセット電圧ＡOFFを調整するときに用いられるもので、「ＡＦＡオフセット調整（Ｏ）」がクリックされると、単一波形表示に属するデータ計測画面（図２５）が表示される。
【００３８】
「データ解析（Ａ）」のプルダウンメニューは「アベレージング（Ａ）」、「単一波形表示（Ｗ）」、「重ね波形表示（Ｍ）」、「グリッドマップ表示（Ｇ）」、「等磁線図（Ｂ）」、「時間積分図（Ｔ）」、「伝播時間図（Ｐ）」、「磁場源表示（Ｓ）」、「ラインモード（Ｌ）」および「塗潰しモード（Ｆ）」を含む。
【００３９】
「アベレージング（Ａ）」がクリックされるとアベレージング画面（図２７）が、「単一波形表示（Ｗ）」がクリックされると単一波形表示字画面（図２８）が、「重ね波形表示（Ｍ）」がクリックされると重ね波形表示画面（図２９）が、「グリッドマップ表示（Ｇ）」がクリックされるとグリッドマップ表示画面（図３０）がそれぞれ表示され、メニューの左側に選択されたことを示すチェックマーク（×）が表示される。また、「等磁線図（Ｂ）」がクリックされると等磁線図画面（図３１）が、「時間積分図（Ｔ）」がクリックされると時間積分図画面（図３２）が、「伝播時間図（Ｐ）」がクリックされると伝播時間図画面（図３３）がそれぞれ表示され、メニューの左側に選択されたことを示すチェックマーク（×）が表示される。また、「磁場源表示（Ｓ）」がクリックされるとメニューの左側に逆三角マークが表示され、等磁線図を表示する際に電流ダイポールで近似した磁場源が重ねて表示される（図なし）。等磁線図、時間積分図、伝播時間図および磁場源表示の画面は「ラインモード（Ｌ）」が選択されると、線間が塗潰しなしで表示され、「塗潰しモード（Ｆ）」が選択されると、線間が塗潰された状態で表示される。現在のモードを示すために、メニューの左側に選択を表すチェックマークが表示される。
【００４０】
「ヘルプ（Ｈ）」のプルダウンメユーは「目次（Ｃ）」、「キーワードで検索（Ｓ）」および「バージョン情報（Ａ）」を含み、それぞれヘルプウインドウを開いて目次を示すこと、キーワードでトピックを検索すること、バージョンダイアログボックスを開くことのために用いられる。
【００４１】
ツールバー部８０３には「被検者登録」（８０８）、「被検者リスト」（８０９）、「印刷」（８１０）、「プレビュー」（８１１）、「システム調整」（８１２）、「データ計測」（８１３）、「データ解析」（８１４）というアイコンが配置される。これらは、その図示は省略されているが、メニューの機能とリンクしていて、プルダウンメニューの項目のうちの使用頻度の高いものを選択することができる。すなわち、「被検者登録」（８０８）は「リスト（Ｌ）」の「登録（Ｒ）」と、「被検者リスト」（８０９）は「リスト（Ｌ）」の「リスト（Ｌ）」と、「印刷」（８１０）は「ファイル（Ｆ）」の「印刷（Ｐ）」と、「プレビュー」（８１１）は「ファイル（Ｆ）」の「プレビュー（Ｖ）」と、「システム調整」（８１２）は「データ計測（Ｑ）」の「マニュアル調整（Ｍ）」と、「データ計測」（８１３）は「データ計測（Ｑ）」の「計測パネル（Ｐ）」と、そして「データ解析」（８１４）は「データ解析（Ａ）」の「グリッドマップ表示（Ｇ）」とそれぞれ対応している。このようにアイコンとリンクしているメニューについては、そのメニューをアイコンをクリックするだけで選択することもできる。したがって、使用頻度の高い操作は、解析データ部に隣接したアイコンをクリックするだけで簡単に操作することができるので、前記メニューバー部の操作に比べて短時間にしかも認識し易いアイコンで操作することができる。なお、前記アイコンは利用者によって選択するようにしてもよく、また、利用頻度（回数）に準じて自動的に前記ツールバー部８０３に表示するようにしてもよい。
【００４２】
次に、システムの調整操作を含めて、被検者の登録から、その登録された被検者のデータ計測を行って、その計測されたデータの解析を行うまでの一連の操作を図１４〜３４を参照しながら説明する。
【００４３】
図１６は全体の操作のフローを示すもので、計算機８の電源がＯＮにされると（Ｓ−１）、オペレーテイングシステムが立ち上げられ、プログラム起動アイコンがデイスプレイ部８−１に表示される（Ｓ−２）。そのアイコンの中からMultichannel MCG Systemのプログラムのアイコンが選択されると（Ｓ−３）、図２４に示される被検者リスト画面が代わって表示される（Ｓ−４）。
【００４４】
この実施例に係るシステムにおいては、システム立ち上がりの初期画面として図２４に示す被検者リスト画面を表示する。この理由は、被検者と、該被検者の計測または解析データの関係が極めて重要であるため、このシステムでは被検者情報をキーワードとしてデータ管理していることに起因する。すなわち、計測データや解析データは被検者情報がないと管理ができないためである。このため、このシステムでは、被検者リスト画面において、先ず被検者を登録または登録されているときは被検者を特定し、次に、新規計測の場合は計測に移行し、既に計測データがある場合は目的のデータを特定する。なお、本被検者リスト画面に先立ってシステム立ち上げ時の時間待ちの表示画面を備えてもよく、更に本システムの目次的な役割をする表示画面を設けてもよい。
【００４５】
図２４に示される被検者リスト画面について説明するに、その左側は被検者情報部で占められる。また、その右側全体の上部には被検者リストが、下部にはデータリストが表示されるようになっている。被検者情報部に表示される項目は図１０に関連して説明したのと同じである。被検者リストの項目は、ＩＤ（被検者ＩＤ番号）、氏名、登録年月日（データ登録された日）、計測回数（データ計測が行われた回数）、生年月日、年齢、身長、体重、コメント（被検者に関するコメント）等を含む。被検者リストについては、これを縦スクロールバーでスクロールすることができ、被検者リストの項目については、これを水平（横）スクロールバーでスクロールすることができる。選択された被検者の行は強調表示される。
【００４６】
選択された被検者に関するデータリストの項目は、ＩＤ、データの種類（生（Raw）データかアベレージング（Averaging）か）、サンプリング間隔（データ計測が行われたときの信号の、ミリ秒単位でのサンプリング間隔）、サンプリング時間（秒単位）、分類（病気の分類情報）、DateおよびTime（データ計測が行われた日および時刻）、コメント（データに関するコメント）等を含む。データリストについては、これを縦スクロールバーでスクロールすることができ、データリストの項目については、これを水平（横）スクロールバーでスクロールすることができる。選択されたデータの行は強調表示される。
【００４７】
この被検者リスト画面によれば、被検者リストに各被検者の情報を１行表示する。これにより、上下に配列される各被検者の情報が明確に区分けすることができるので識別性を向上することができるから、たとえば誤って別の被検者を選択する誤操作を軽減することができる。この各被検者の情報は水平（横）スクロールバーでスクロールすることができるとともに、選択された被検者の情報は縦長の被検者情報部に項目毎に上下に配列されるので視認性を損なうことがない。この場合、各被検者のデータリストの項目を前後（左右）に移動可能とすることにより視認性をより向上させてもよい。更に、各被検者の情報を１行表示すことにより、一度に沢山の被検者を見ることができるので、縦スクロールバーでスクロールする回数を少なくすることができる。また、被検者リストの中から目的の被検者に関するデータを選択したい被検者リストにカーソルを合わせてクリックするだけの簡単な操作で下部のデータリストに表示することができる。しかも、被検者リストとデータリストが上下に配置されているので、目線移動が少なくできるから、その関連性を認識しやすい。また、前記データリストは、そのエリアの上部にカーソルを移動してドラッグする簡単な操作でその大きさを自由に変えることができるので、データリストのリスト数に合わせて自由にその大きさを設定することができる。
【００４８】
ステップＳ−５においては、被検者リスト画面上の被検者リストの中から所望の被検者の行が選択される。後述のアベレージング処理の場合は、必ずデータリスト中の生（Raw）データの行が選択される。この後のフローはメニューにより４つに分岐される（Ｓ−６）。分岐の一つによれば、「ファイル（Ｆ）」というメニューの「心磁システム終了（Ｘ）」というサブメニューが選択され、この場合はウインドウを閉じる等の終了処理が行われ（Ｓ−７）、それによって、システムの立ち下げが行われる（Ｓ−８）。その後、計算機１８の電源がＯＦＦにされ（Ｓ−９）、すべてが終了する。
【００４９】
分岐の残りによれば、アベレージング処理（Ｓ−１０）、データ解析（Ｓ−１１）およびデータ計測（Ｓ−１２）が行われる。アベレージング処理は「データ解析（Ａ）」というメニューの「アベレージング（Ａ）」というサブメニューを選択することによって実行可能である。また、データ解析は「データ解析（Ａ）」というメニューの「単一波形表示（Ｗ）」、「重ね波形表示（Ｍ）」、「グリッドマップ表示（Ｇ）」、「等磁線図（Ｂ）」、「時間積分図（Ｔ）」、「伝播時間図（Ｐ）」および「磁場源表示（Ｓ）」というサブメニューのいずれかを選択することにより実行可能である。更に、データ計測は「データ計測（Ｑ）」というメニューの「計測パネル（Ｐ）」というサブメニューを選択することにより実行可能である。ステップ１０、１１および１２の終了後はフローはステップＳー４に戻る。ステップＳ−５の被検者選択、ステップＳ−１０のアベレージング処理、ステップＳ−１１のデータ解析およびステップＳ−１２のデータ解析については、その詳細はそれぞれ図１７〜２０に関連して以下に更に詳しく説明される。
【００５０】
図１７は図１６のステップＳ−５における被検者選択のフローを示す。被検者選択の場合は、フローはメニュー選択又は被検者選択により４つに分岐される。分岐の一つは被検者を指定して選択する（Ｓ−５−１）ことで被検者選択が終了する場合である。分岐のもう一つによれば、「リスト（Ｌ）」というメニューの「検索（Ｓ）」というサブメニューが選択される。これによって、図１１に示される検索ダイアログボックスが開かれ（Ｓ−５−２）、このダイアログボックスを用いて被検者検索条件が入力される（Ｓ−５−３）。これによって被検者が検索され（Ｓ−５−４）、これにもとづいて図２４に示される被検者リスト画面上の被検者リストの表示内容が変更される（Ｓ−５−５）。分岐の更にもう一つによれば、「リスト（Ｌ）」というメニューの「解除（Ｘ）」というサブメニューが選択される。この場合は、選択された被検者が全被検者リストに戻され（Ｓ−５−６）、被検者リストの表示内容の変更が行われる（Ｓ−５−５）。分岐の残りの一つによれば、「リスト（Ｌ）」というメニューの「登録（Ｒ）」というサブメニューが選択される。この場合は、図１０に示される被検者登録ダイアログボックスが開かれ（Ｓ−５−７）、被検者情報が入力される（Ｓ−５−８）。これらのステップについてはすべての被検者の入力が終わるまでその入力終了の判断が行われ（Ｓ−５−９）、その入力が終了すると、被検者リストの更新が行われる（Ｓ−５−５）。
【００５１】
この実施例では、被検者の名前や住所等の文字入力を除いて、表示画面にプルダウンメニューを表示するなどして入力する複数の入力データまたは操作指示を表示し、その選択対象の中からマウスで特定の前記対象を指示することで入力操作を行うようにしている。これにより、マウス操作でほとんどの操作が可能となるのでキーボードに不慣れな作業者に快適な操作環境を提供できるとともに、入力／操作の時間短縮を図ることができる。前記プルダウンメニューの複数の選択対象は、この装置あるいはその入力／操作状態で入力／操作可能な選択対象が事前に設定され表示されるので誤入力／誤操作を軽減できる。また、この実施例では、入力エリアにカーソルを合わせてキーボードを介して入力することもできるので、操作者の入力の自由度を確保している。また、この実施例では、キーボードでの文字入力を想定しているが、入力時にキーボードのダイヤログを表示してこれをマウスで操作して入力してもよい。さらに手書入力ダイヤログを表示して、マウス操作で手書入力するようにしてもよい。更には、前記デイスプレイ部にタッチパネルを備えて入力／操作を画面に指先または入力ペンを介して操作してもよい。これらにより入力／操作の操作性を格段に向上することができる。
【００５２】
図１８は図１６のステップＳ−１２におけるデータ計測のフローを示す。まず初めに、初期画面として心磁波形のグリッドマップが図２５に示されるように表示される（Ｓ−１２−１）。同図において、操作領域部では、チャンネル選択、波形モニタのＯＮ−ＯＦＦ、ＦＬＬ回路６のロック−アンロック、ＡＦＡ７のオフセット電圧の自動調整およびヒートフラッシュのための操作をそれぞれ行うことができ、更に、信号のサンプリング条件設定、波形表示のスケールの設定およびＡＦＡパラメータの設定が可能である。
【００５３】
チャンネルは８×８の６４チャンネルからなり、「全チャンネル選択」ボタンをクリックするか、又はチャンネルマトリックスを対角線に沿って端から端までドラッグすることによって、全チャンネルを選択することができる。また、行単位又は列単位でチャンネルマトリクスをドラッグすれば、チャンネルを行単位又は列単位で選択することができる。いずれにしても、選択されたチャンネルについては、その心磁波形が解析データ部に表示される。行単位又は列単位での選択の場合は図２６のように表示される。この場合、選択された波形は時間軸に関してはフルスケールいっぱいに拡大されて表示される。すなわち、６４チャンネルすべてが選択されている場合は、図２５に示すように解析データ部を上下左右（桝目）に分割してすべてのチャンネル表示を優先させ、行単位又は列単位での選択の場合は図２６のように、解析データ部を上下に分割して時間軸を左右にする馴染みのあるグラフの形態とすることで視認性を優先させた表示形態としている。
【００５４】
波形のモニタについては、「ＯＮ」ボタンが押されるとたとえば０．５ｓｅｃから２ｓｅｃの間で指定された時間毎に信号の取り込みと波形の更新が繰り返され、被検者の心磁信号がモニタされる。また、「ＯＦＦ」ボタンが押されると波形の更新が停止する。ＦＬＬについては、「Ｌｏｃｋ」ボタンまたは「Ｕｎｌｏｃｋ」ボタンをクリックすれば、６４個のＳＱＵＩＤセンサに対して磁場ロックを行ったり、そのロックを解除したりすることができる。その場合、一方のボタンが押されれば、他方が押されるまでそのままの状態が保たれる。これにより、選択されていない誤動作の状態を回避している。
【００５５】
また、「ＡＦＡオフセット調整」ボタンをクリックすれば、そのオフセット電圧が自動的に調整される。また、「ヒートフラッシュ」ボタンをクリックすれば、図１４に示されるヒートフラッシュ操作ダイアログボックスが開かれる。マウス又は矢印キーでチャンネルを選択し、「ＯＫ」ボタンをクリックすれば、その選択されたチャンネルのＳＱＵＩＤについてヒートフラッシュ操作が実行される。「キャンセル」ボタンを押せば、ダイアログボックスが閉じて処理は終了する。
【００５６】
サンプリングの時間（計測時間）および間隔については、逆三角印のついた対応テキストボックスをクリックすれば、選択可能な数値のプルダウンメニューが開かれ、その中から所望の数字を選択することができる。その選択可能な数字は、時間についてはたとえば１ｓｅｃ、５ｓｅｃ、１０ｓｅｃ、３０ｓｅｃ、１ｍｉｎおよび２ｍｉｎであり、間隔についてはたとえば０．１ｍｓｅｃ、０．５ｍｓｅｃ、１．０ｍｓｅｃ、２．０ｍｓｅｃ、４．０ｍｓｅｃ、５．０ｍｓｅｃおよび１０．０ｍｓｅｃである。時間は必要に応じて１ｓｅｃ程度から２４ｈ程度までの間で選ばれるようにしてもよい。「スケール」ボックス内の「時間」とあるのはｍｓｅｃ単位の時間スケールすなわち水平方向のスケールを、「信号」とあるのはＡ／Ｄ変換された信号のスケールすなわち縦方向のスケールを意味する。これらについても、サンプリングの時間および間隔の選択と同様に、対応するテキストボックスをクリックすることによって開かれるプルダウンメニューの中から所望の数値が選択される。
【００５７】
ＡＦＡパラメータは入力ゲインＩgain、出力ゲインＯgain、ローパスフイルタ（ＬＰＦ）の周波数（基準周波数）、ノッチフィルタ（ＢＥＦ）の周波数、ハイパスフイルタの周波数（基準周波数）を含む。これらについても同様に、対応するテキスツボックスをクリックすることによって開かれるプルダウンメニューの中から所望の数字又は文字が選択される。その数字又は文字は、Ｉgainについてはたとえば１、２、５、１０、２０、５０、１００、２００、５００および１０００であり、Ｏgainについてはたとえば１、１０および１００であり、ＬＰＦについてはたとえば３０Ｈｚ、５０Ｈｚ、８０Ｈｚ、１００Ｈｚ、２００Ｈｚ、４００Ｈｚおよび１ｋＨｚであり、ＢＥＦについてはＯｆｆ、５０Ｈｚおよび６０Ｈｚであり、そしてＨＰＦについてはたとえば０．０５Ｈｚ、０．１ＨｚおよびＴｈｒｕ．である。なお、これらは選択の代わりにキーボードから入力されてもよい。
【００５８】
チャンネルとしては６４チャンネル以外に更にたとえば１６チャンネルの補助チャンネルが用意されていて、その補助チャンネルではたとえば心電波形が得られるようにされてもよい。図２５の最下段には参照チャンネルとしての第１０チャンネルの波形が表示されているが、これはその補助チャンネル中の第１０チャンネルで得られた心電波形である。心磁波形は一般に磁気雑音を含み、一方、心電波形はそのような雑音を含まない。したがって、表示されている心磁波形を参照チャンネルの心電波形と比較することにより心磁波形に磁気雑音が含まれているかどうかの情報が得られる。もちろん、その心電波形は補助チャンネルではなく、正規の６４チャンネルの中の任意のチャンネルから得られるようにされていてもよい。また、心電波形以外に脳波、血流波形、血圧波形等が用いられてもよい。更に、妊婦の心電波形とその胎児の心磁波形が比較されるようにしてもよい。また、参照波形としては、１チャンネルの参照波形だけでなく、複数チャンネルの参照波形が表示されるようにしてもよい。更に、参照チャンネルは、生体からの信号だけでなく、保守等を目的とした種々の制御信号を入力するのに用いられてもよい。
【００５９】
図１８のフローに戻るに、ステップＳ−１２−２では既述の要領でモニタチャンネルが選択され（Ｓ−１２−２）、ＦＬＬのロックボタンが押されると、すべてのＳＱＵＩＤの磁場ロックがなされる（ステップＳ−１２−３）。その状態で、計測パラメータであるサンプリングの時間と信号の設定並びにＡＦＡのパラメータの設定がなされる（ステップＳ−１２−４）。その設定については、この設定を、その設定された条件を使うことにして次回から省略することができる。これにより、毎回条件設定を行う必要がないので設定時間を短縮することができる。なお、前記設定条件について名称を付ける等して記録し呼び出し可能としてもよい。
【００６０】
「計測」ボックスの「開始」ボタンが押されると計測が開始され、図１５に示されるように「計測中」の表示がなされると共に計測の進行状況を示すプログレスバーが表示される（ステップＳ−１２−５）。この実施例のプログレスバーは、棒グラフ形式で左から右に処理進行の経過にしたがって棒が伸びるようにしているが、全体の処理内容（時間）を例えば１００として、現在の処理経過がわかればよいので、円グラフ等でもよい。また、前記プログレスバーは、計測画面の所定の位置に周囲に前記計測画面を残して表示するようにする。これにより、表示画面の内容が大きく変わることがないので誤操作を軽減することができる。
【００６１】
計測が開始されると、表示されている信号波形はそのまま固定化され、プログレスバーはその固定化された表示画面上に表示される。プログレスバーの更新は設定された時間が終了するまで、たとえば毎秒繰り返される（Ｓ−１２−６）。「計測」ボックスの「中止」ボタンが押されると、計測が中止する。計測が終了すると、図２６に示される画面表示がなされ、波形の確認がなされる（Ｓ−１２−７）。その後、そのデータの保存の必要性が判断され（Ｓ−１２−８）、保存が必要な場合はメニュー「ファイル（Ｆ）」−「保存（Ｓ）」が選択されて、信号は保存され、当該被検者のデータリストに追加される（Ｓ−１２−９）。その後、保存が必要ない場合も含めて、計測がもう一度必要かどうかの判断がなされ（Ｓ−１２−１０）、必要ならば以上のステップを繰り返し、必要なければデータ計測の全ステップは終了する。その場合、画面表示は図２４の表示となるようにメニュー選択がなされる。なお、図２６はチャンネルとして第２列目の行のチャンネルが選択された例を示す。
【００６２】
図２６において、解析データ部の最下部にはスクロールボックス２６１が移動するスクロールバー２６２がある。スクロールボックス２６１はスクロールバー２６２の左右の両端間で移動可能なるもので、そのスクロールボックスの幅ｗは時間スケールを表す。そのスクロールバー２６２の左右の両端間の時間幅は計測時間を表し、したがって、表示されている波形は計測時間中に生じる波形の、スクロールボックス２６１の時間スケールｗに相当する一部分の拡大された波形である。これにより、操作者は、現在解析データ部に表示されている波形が計測時間（スクロールバー２６２の幅）の中でどのくらいの時間（スクロールボックス２６１の幅）かを示し、前記波形が計測時間の中で前半を示しているのか後半を示しているのか等を人目で把握することができるので、視認性を向上させることができる。また、前記スクロールボックス２６１の位置と解析データ部の波形を連動させているので、カーソルを前記スクロールボックス２６１に合わせてドラッグしながら移動させることで、解析データ部の表示領域を移動させて所定時間の波形を見るようにしてもよい。このようにすれば、所定時間の波形を簡単に確認する等、前記スクロールバー２６２を目次的に扱いで計測内容を詳細に確認することができる。
【００６３】
図１９は図１６のステップＳ−１０におけるアベレージング処理のフローを示す。アベレージング処理では、各チャンネルで測定された各データのノイズを取り除くために各チャンネル毎に加算されてその平均値が計算される。この各チャンネルのアベレージング処理にあたり基準となる時間を設定するために以下の処理がなされ、そして各チャンネルのアベレージング処理が実行される。
【００６４】
まず、指定された被検者の生データが読み込まれる（Ｓ−１０−１）。これは、図２４のリストデータ中の「データの種類」が生データとなっている行を選択することにより行われる。これによって、初期表示として、図２７に示される第１列目のチャンネルの心磁波形が表示される（Ｓ−１０−２）。次いで、表示チャンネルが選択される（Ｓ−１０−３）。図２７は第２列目のチャンネルが選択された例を示す。その後、設定チャンネルが指定される（Ｓ−１０−４）。これは操作領域部にある「アベレージング条件」というボックス内の「チャンネル」のテキストボックスをクリックするか又は所望のチャンネルの波形を表示している領域をマウスでクリックすることによって行われる。この場合、そのテキストボックス内の三角ボタンをクリックすればチャンネル数字が大きくなり、逆三角ボタンをクリックすればチャンネル数字が小さくなる。図２７は指定されたチャンネルが第２列第２行目のチャンネルである例を示す。このチャンネル指定によって、アベレージング処理の基準時間となるチャンネルが特定される。このチャンネルを特定するにあたっては、最も典型的な、あるいは分かり易い波形を備えたチャンネルを選定するとよい。仮に、選択した行または列に良い波形を備えたチャンネルがなければ、再び（Ｓ−１０−３）のステップからやり直すことができる。
【００６５】
また、前記解析データ部の１つのチャンネルが特定されると、図２７に示されるようにしきい値カーソル２７１が指定されたチャンネルの位置に表示される。これによって、指定されたチャンネルを視覚的に確認することができる。図２７において、解析データ部８０５の上部に左右方向に移動可能な３個のスライダーカーソル２７３〜２７５が表示されているが、これらは図２７の表示画面が表示されると同時に自動的に表示される。
【００６６】
ステップＳ−１０−５として、アベレージング条件であるしきい値、オフセット時間およびアベレージング時間が「アベレージング条件」というボックス内の対応するテキストボックスをクリックすることにより設定される。三角ボタンをクリックすれば数字が大きくなり、逆三角ボタンをクリックすれば数字が小さくなる。しきい値の設定は「しきい値」テキストボックスでしきい値を表す数字を選択することにより行われる。これによって、その数字に対応する位置にしきい値カーソル２７１が自動的に移動する。その場合の移動位置はカーソル線によって明確に確認することができる。「しきい値」テキストボックスのしきい値を表す数字の変更（選択）としきい値カーソル２７１の移動は互いに連動しており、したがってしきい値はしきい値カーソル２７１を移動させることによっても設定可能である。スライダーカーソル２７３は波形の立ち上り部分がスライダーカーソル２７１によって設定されたしきい値と一致した時点（基準時点）位置を指し示すものであり、その指し示す位置はカーソル線によって明確に確認することができる。このスライダーカーソル２７３はしきい値の変更に応じて変わる基準時点位置と一致するように該基準時点位置に追従して移動する。「オフセット」テキストボックスでオフセット時間を表す数字を選択し、「時間」テキストボックスでアベレージング時間を表す数字を選択すると、それに対応する位置にスライダーカーソル２７４および２７５が移動する。その場合の移動位置はそれらのスライダーカーソルのカーソル線によって明確に確認することができる。スライダーカーソル２７４および２７５の移動は「オフセット」テキストボックスおよび「時間」テキストボックスでの数字の選択と連動している。このため、オフセット時間およびアベレージング時間の設定はスライダーカーソルを移動させることによっても可能である。
【００６７】
ステップＳ−１０−６ではアベレージングモードとしてアベレージングを自動で行うべきか、マニュアルで行うべきかが設定される（Ｓ−１０−７）。その後、「設定」ボタンをクリックすると（Ｓ−１０−８）、加算処理が行われる。「キャンセル」ボタンをクリックすれば、アベレージング条件はすべてキャンセルされる。加算処理としては、各チャンネルにおいて、しきい値を越えた時刻ｔ（基準時点）が探索され（Ｓ−１０−９）、次いで時刻ｔを中心に波形が表示され（つまり、ｔ時点が画面の中心に位置付けられようにｔ−５０ｍｓｅｃからｔ＋５０ｍｓｅｃまでの波形が表示され）（Ｓ−１０−１０）、そしてマニュアルモードでキャンセルが選択されたかどうかの判断がなされ（Ｓ−１０−１１）、キャンセルが選択されたのでなければ波形の加算が実行される（Ｓ−１０−１２）。ステップＳ−１０−９からステップＳ−１０−１２までのステップは各チャンネル毎に加算回数だけ繰り返され、その後加算されたデータは加算回数で割算され（Ｓ−１０−１３）、アベレージング処理が終了する。
【００６８】
このように、この図２７に示すアベレージング処理の表示画面においては、操作領域部と解析データ部８０５の双方からアベレージング処理の諸条件の入力／操作を行うことができるので、たとえば、大まかな条件を解析データ部で設定して、詳細な値を操作領域部で設定する等、操作者に多様な設定方法を提供すると共に条件設定の時間短縮を図ることができる。特に、この実施例では、解析データ部８０５の複数のチャンネルの中からカーソルを介して特定のチャンネルを指定することでアベレージング処理の基準となるチャンネルとすることができから、誤操作が軽減され操作性が向上される。しかも、その指定されたチャンネル近傍にしきい値カーソルやスライダーカーソルを表示することで視覚的な認識が可能である。更に、アベレージング処理の諸条件の入力／操作を前記チャンネル近傍に配置されるしきい値カーソルやスライダーカーソルで行うことができるので、操作者の目線移動を少なくして、波形表示に合わせて視覚的に設定できるから、誤操作を軽減して操作性を向上することができる。なお、これらの設定条件、たとえば最新の設定条件を記憶させて次回の設定条件として表示させたり、あるいは各設定条件に名前を付して記憶させ呼び出すようにしてもよい。
【００６９】
図２０は図１６のステップＳ−１１におけるデータ解析のフローを示す。データ解析はいろいろな種類の波形や線図を表示して診断に必要な情報を得ようとするもので、図９のメニューを選択することによりいろいろな種類の波形や線図の画面を選択的に表示することができる。すなわち、「データ解析（Ａ）」の「単一波形表示（Ｗ）」を選択すれば図２８に示される単一波形画面が（Ｓ−１１−２）、「データ解析（Ａ）」の「重ね合せ波形表示（Ｍ）」を選択すれば図２９に示される重ね波形画面が（Ｓ−１１−３）、「データ解析（Ａ）」の「グリッドマップ表示（Ｇ）」を選択すれば図３０に示されるグリッドマップ波形画面が（Ｓ−１１−４）、「データ解析（Ａ）」の「等磁線図（Ｂ）」を選択すれば図３１に示される等磁線図画面が（Ｓ−１１−５）、「データ解析（Ａ）」の「伝播時間図（Ｐ）」を選択すれば図３２に示される伝播時間図画面が（Ｓ−１１−６）、そして「データ解析（Ａ）」の「時間積分図（Ｔ）」を選択すれば図３３に示される時間積分図画面が（Ｓ−１１−７）それぞれ表示され、また、「ファイル（Ｆ）」の「心磁システムの終了（Ｘ）」を選択すればシステムが終了する。
【００７０】
それぞれの画面において、操作領域部にあるラジオボタン（図面中の円形ボタン）をクリックすればそのクリックによって指定された波形又は線図の画面が代わって表示される。図２０において、分岐の部分を「メニューで分岐」とせずに「メニュー又はラジオボタンで分岐」としたのはそのためである。したがって、この実施例によれば、前記図９のメニューを選択することなく、前記操作領域部にあるラジオボタンをクリックするだけで多様な解析データが得られるので、操作時間の短縮が図れるとともに、誤操作を軽減して操作性を向上することができる。
【００７１】
図２８〜３０において、「スケール」ボックス内の磁束密度とあるのは、ゼロレベルを基準としたプラス側およびマイナス側のフルスケールの値（単位はピコテスラ（ｐＴ））であり、その値はそのテキストボックスの三角ボタンをクリックすることにより開かれるプルダウンメニューで選択される。図２８〜３３において、「表示成分」ボックス内のラジオボックスをクリックすることにより法線成分の波形又は接線成分の波形を選択して画面表示することができる。
【００７２】
図２８ではチャンネルで選択された各チャンネルの波形が、解析データ部の左端をオフセット時間に合わせて表示される。この解析データによれば、解析データ部に上下に配列表示される各チャンネルの波形の形状や大きさを比較することができる。同様に図２９では、前記図２８で上下に配列された波形が重ねて表示され、その波形の形状や大きさを比較することができる。また、図３０では、すべてのチャンネルが前記図２８、図２９と同様にオフセット時間を基準にして表示される。したがって、操作者は、必要によりチャンネルの数を選定して解析することができる。
【００７３】
図３１において、解析データ部の右端には縦に細長の磁場強度指標ボックス３１０が配置されている。その磁場強度指標ボックスは互いに色の異なる１２個の区画に区切られている。これは、図３１に示される等磁線図画面の各島模様で示される磁場の強度範囲を色の種類で区別することで視角的な（色彩的な）認識性を向上させるようにしたものである。すなわち、その磁場強度指標ボックス３１０の長手方向の中心位置３１１は磁場強度がゼロの位置で、その中心位置よりも上方の区画を中心位置に近い順番に第１〜第６区画とそれぞれ呼ぶことにすれば、たとえば第１区画は０〜２ｐＴの磁場強度範囲に、第２区画は２〜４ｐＴの磁場強度範囲に、第３区画は４〜６ｐＴの磁場強度範囲に、第４区画は６〜８ｐＴの磁場強度範囲に、第５区画は８〜１０ｐＴの磁場強度範囲に、そして第６区画は１０〜１２ｐＴの磁場強度範囲にそれぞれ対応している。中心位置よりも下方の区画についてもまったく同じである。ただし、中心位置よりも上方の区画はプラス方向の磁場強度を、下方の区画はマイナス方向の磁場強度を表している。図３１に示される等磁線図は、磁場強度指標ボックス３１０内の磁場強度範囲と色との対応関係の定めに従い、磁場強度に応じて色分け表示される。なお、色として、磁場強度のプラス側を暖色系、マイナス側は寒色系とし、中心部を黄色とするようにしてもよい。これにより、磁場の強弱を色彩的に認識することができるので視認性を向上することができる。しかも、この実施例によれば、解析データ部の近傍に磁場強度指標ボックス３１０を設けたので、比較対象の色、すなわち、マップに付された色と磁場強度指標ボックス３１０の所定の色とを目線移動を大きく移動させることなく比べながら確認することができるので、前記磁場の強弱のレベルと色との関係を明確に判断することができる。なお、この実施例では、磁場強度指標ボックス３１０を解析データ部の右端に設けているが、解析データ部の近傍であればよく、例えば、上部、下部、左側でもよい。
【００７４】
図３１において、「再構成パラメータ」ボックス内の「マップ数」とあるのは表示される等磁線図の数を、「最大値」とあるのは磁場強度指標ボックス３１０の両端部に相当する磁場強度を、「間隔」とあるのは磁場強度指標ボックス３１０内の各区画の長さに対応する磁場範囲を意味する。その値については、これを対応するテキストボックスの三角又は逆三角ボタンをクリックして選択することができる。
【００７５】
解析データ部の最下段には参照チャンネルの心電波形と２個のマップ時刻選択用カーソル３１１および３１２が表示されている。その２個のマップ時刻選択用カーソル３１１および３１２間には間隔が同じ分割線が表示され、この線の数はマップ数選択によって選択されたマップの数と一致する。また、２個のマップ時刻選択用カーソル３１１および３１２はその位置を独立に左右方向に移動可能で、その移動によってそのカーソル間の間隔が変わると、分割線の間隔も変わるが、分割線の間隔は常に等間隔である。もちろん、各分割線にカーソルを備えて１本１本別々に設定するようにしてもよい。図３１では、表示されている等磁線図の数は１６個であるが、これらの線図は心電波形上の分割線が位置する時点での線図であり、各マップについては、該マップがいつの時点のものであるかがわかるようにその時刻も表示される。
【００７６】
これにより、図２６で説明したと同様に、操作者は、現在解析データ部に表示されているマップが解析時間（心電波形の幅）の中でどのくらいの範囲（２個のカーソル３１１と３１２の幅）を示し、前記マップが示す範囲が解析時間の中でどこの範囲なのか等を一目で把握することができるので、視認性を向上させることができる。また、前記マップが示す範囲を２個のカーソルをマウス操作で簡単に移動させることで設定できるので操作が容易である。更に、各分割線の間隔を自由に設定するようにすれば、疑問のある部分を密にして他の部分を疎にする等、操作者に多様な解析環境を提供できる。
【００７７】
また、操作領域部にある「電流方向」のチェックボックスをクリックしてチェック印を表示すると、等磁線図上には矢印が表示される。この矢印が表示された等磁線図をアローマップと呼ぶ（図示なし）。矢印については、その位置はチャンネルの位置（磁気センサの位置）、長さは磁場の強度、そして方向は磁場の方向を電流の方向に変換した場合のその電流の方向をそれぞれ示す。
【００７８】
図３２において、伝播時間の起点位置（図７のｔ1時点）の変更は参照波形上で移動するカーソル３２１の位置を変えることによって可能であり、カーソル３２１の位置の変更はそのカーソルをマウスを用いてドラッグすることにより可能である。
【００７９】
図３３には２つの時間積分図と１つの差分図が表示されている。伝播時間図の「差分表示」はチェックボックスをクリックしてチェック印を表示することで簡単に表示することができる。「差分表示」がチェックされると、参照波形上に４つのカーソル３３１〜３３４が現れ、更に図示のように上方左右に２つの時間積分図が、下方左側に差分図がそれぞれ表示される。２つの時間積分図は心磁波形を、参照波形上でカーソル３３１および３３２並びにカーソル３３３および３３４を用いてそれぞれ設定された１００ｍｓｅｃ〜１４０ｍｓｅｃおよび１８０ｍｓｅｃ〜２４０ｍｓｅｃという時間範囲に亘って積分した値にもとづくもので、それぞれの時間範囲はカーソル３３１および３３２並びにカーソル３３３および３３４をマウスを用いてそれぞれドラッグすることで変えられ得る。差分図は２つの時間積分図の差を表すものである。チェック印がない場合は、カーソルについては２個のカーソル（たとえばカーソル３３１および３３２）だけが現れ、時間積分図については１つの時間積分図だけが表示される。もちろん、積分時間の変更はカーソルの位置を変えることによって可能である。このように、この実施例によれば、「差分表示」にチェック印をクリックすることにより、次の操作を促す２組のカーソルが表示されるので、操作の迷いを与えず操作時間の短縮が図れ、しかも、前記２組のカーソルをマウスで移動させることで時間範囲を簡単に設定することができるから操作性を向上することができる。
【００８０】
図２１はシステム調整のフローを示す。メニュー選択によってフローは５つに分岐される（Ｓ−１５）。この場合、現在表示されているデータはそのまま保存され（Ｓ−１３）、図３４に示されるΦ−Ｖ特性曲線が表示されている（Ｓ−１４）。「データ計測（Ｑ）」の「全自動調整（Ａ）」が選択された場合は、指定されたチャンネルについてＩbiasおよびＶOFFという調整値が自動的に計算され（Ｓ−１６）（その自動計算は後述）、その計算された調整値はＦＬＬ回路に設定され（Ｓ−１７）、フローはステップＳ−１４に戻る。
【００８１】
「データ計測（Ｑ）」の「ＶOFF調整（Ｖ）」が選択された場合は、指定されたチャンネルについてＶoFFが計算され（Ｓ−１８）（ＶOFFの計算は後述）、その後、フローは既述のステップＳ−１７に進む。「データ計測（Ｑ）」の「マニュアル調整（Ｍ）」が選択された場合は、図１２に示されるマニュアル調整ダイアログボックスが開かれる（Ｓ−１９）。オペレータはＩbiasおよびＶOFFという調整値をチャンネル毎に入力すると、その入力された調整値は受け付けられ（Ｓ−２０）、ダイアログボックス中の「ＯＫ」ボタンが押されることによって調整値がＦＬＬ回路にセットされる（Ｓ−２１）。ダイアログボックスはこれによって閉じられ（Ｓ−２２）、フローはステップＳ−１７に進む。
【００８２】
「データ計測（Ｑ）」の「調整値ファイル（Ｆ）」が選択されると、その後サブプルダウンメニューによりフローは更に２つに分岐される（Ｓ−２２）。すなわち、サブプルダウンメニューの「開く（Ｏ）」を選択することによりファイルをオペレータに問合わせ、オペレータは図１１の内容を含むファイルを入力する（Ｓ−２３）。その調整値ファイルの内容はＦＬＬ回路に設定される（Ｓ−２４）。また、「データ計測（Ｑ）」−「調整値ファイル（Ｆ）」−「上書き保存」又は「名前を付けて保存（Ａ）」を選択することによりステップＳ−２３と同様のことが行われ（Ｓ−２５）、その調整値を調整値ファイルに書き込むことができる（Ｓ−２６）。
【００８３】
図２２は図２１のステップＳ−１６における自動計算のフローを示す。
Ｓ−１５−１：全自動調整の場合はすべてのＳＱＵＩＤチャンネルについて１チャンネルずつ以下の処理が行われる。処理中のチャンネルをｃｈとする。
Ｓ−１５−２：計算されたバイアス電流およびオフセット電圧はＩＢＩＡＳおよびＶＯＦＦという名称のメモリに保持されるものとする。ＩＢＩＡＳおよびＶＯＦＦはチャンネルの数だけ値を保持することができ、初期値はすべて０とする。Φ−Ｖ特性曲線の、一時記憶される振幅をΔＶとする。
【００８４】
Ｓ−１５−３：各チャンネルｃｈに対して、バイアス電流Ｉbを０から図３４の「走査パラメータ」ボックスで指定されたＩbiasまでΔＩbiasのステップで変化（走査）させ、Φ−Ｖ特性曲線の振幅ΔＶが最も大きくなるＩbiasをチャンネルｃｈの最適なバイアス電流ＩＢＩＡＳ（ｃｈ）とする。
【００８５】
Ｓ−１５−４〜８：バイアス電流０からＩbまでの間で、Φ−Ｖ特性曲線の振幅ΔＶは以下の処理で求められる。チャンネルｃｈのＳＱＵＩＤに与えられる外部磁場Φを０から図３４の「走査パラメータ」ボックスで指定されたΦextまでΔΦのステップで変えて（走査して）行き、Ａ／Ｄ変換された信号を保存してその信号の最大値Ｍmaxおよび最小値Ｖminを求める。
【００８６】
Ｓ−１５−９〜１０：ここで、最大値Ｍmaxと最小値Ｖminの差がΔＶより大きければＩＢＩＡＳ（ｃｈ）の値をＩbiasで、ＶＯＦＦ（ｃｈ）の値を最大値Ｍmaxと最小値Ｖminの平均で、ΔＶを最大値Ｖmaxと最小値Ｖminの差でそれぞれ置き換える。もし、ΔＶの方が最大値Ｍmaxと最小値Ｖminの差より大きければ前の値を保持する。
【００８７】
Ｓ−１５−１１：以上の処理をバイアス電流ＩbがＩbiasになるまで繰り返したときのＩＢＩＡＳ（ｃｈ）、ＶＯＦＦ（ｃｈ）がＳＱＵＩＤチャンネルｃｈの最適なバイアス電流およびオフセット電圧となる。
Ｓ−１５−１２：また、以上の処理をすべてのＳＱＵＩＤチャンネルに対して実行することにより全自動調整は終了する。
【００８８】
図２３は図２１のステップ１８におけるＶＯＦＦ調整フローを示す。
Ｓ−１８−１：ＶOFF調整の場合はすべてのＳＱＵＩＤチャンネルについて１チャンネルずつ次の処理が行われる。
Ｓ−１８−２〜６：チャンネルｃｈのＳＱＵＩＤに与えられる外部磁場Φを０から図３４の「走査パラメータ」ボックスで指定されたΦextまでΔΦのステップで変えて（走査して）行き、Ａ／Ｄ変換された信号の最大値Ｖmaxと最小値Ｖminの差を求める。
【００８９】
Ｓ−１８−７：ＳＱＵＩＤチャンネルｃｈの最適なオフセット電圧ＶＯＦＦ（ｃｈ）は最大値Ｖmaxと最小値Ｖminの差として計算される。
Ｓ−１８−８：以上の処理をすべてのＳＱＵＩＤチャンネルに対して実行することによってＶOFF調整は終了する。
【図面の簡単な説明】
【００９０】
【図１】本発明が実施される生体磁場計測装置の一実施例の概略構成図である。
【図２】図１の生体磁場計測装置に用いられる磁気センサの配置構成を示す斜視図である。
【図３】図１の生体磁場計測装置において用いられる、磁場の法線成分を検出する磁気センサ単体の斜視図である。
【図４】図１の生体磁場計測装置において用いられる、磁場の法線成分を検出する磁気センサ単体の斜視図である。
【図５】図１の生体磁場計測装置における磁気センサと被検者の胸部との位置関係を示す図である。
【図６】図１の生体磁場計測装置において、各磁気センサ一において計測された健常者の生体磁場（心磁）の各成分の時間波形図である。
【図７】図１の生体磁場計測装置において、健常者について計測された特定の２チャンネルの心磁の接線成分の時間波形を示す図である。
【図８】図１の生体磁場計測装置において、デイスプレイ部に表示される表示画面の基本的なレイアウトを示す図である。
【図９】図１の生体磁場計測装置において、デイスプレイ部に表示される表示画面のメニューバー部における操作メニューを示す図である。
【図１０】図１の生体磁場計測装置において、デイスプレイ部に表示される表示画面中の操作メニューとして「リスト（Ｌ）」−「登録（Ｒ）」が選択された場合に開かれる被検者登録ダイアログボックスの内容を示す図である。
【図１１】図１の生体磁場計測装置において、デイスプレイ部に表示される表示画面中の操作メニューとして「リスト（Ｌ）」−「検索（Ｓ）」が選択された場合に開かれる検索ダイアログボックスの内容を示す図である。
【図１２】図１の生体磁場計測装置において、デイスプレイ部に表示される表示画面中の操作メニューとして「データ計測（Ｑ）」−「マニュアル調整（Ｍ）」が選択された場合に開かれるマニュアル調整ダイアログボックスの内容を示す図である。
【図１３】図１の生体磁場計測装置において、デイスプレイ部に表示される表示画面中の操作メニューとして「データ計測（Ｑ）」−「計測パネル（Ｐ）」が選択された場合に開かれる自動診断ダイアログボックスの内容を示す図である。
【図１４】図１の生体磁場計測装置において、デイスプレイ部に図２５又は図２６の表示画面が表示されている場合に「ヒートフラッシュ」ボタンが押されたときに開かれるヒートフラッシュ操作ダイアログボックスの内容を示す図である。
【図１５】図１の生体磁場計測装置において、計測中にデイスプレイ部に表示される計測プログレスバーを示す図である。
【図１６】図１の生体磁場計測装置において行われる全体の操作のフローを示す図である。
【図１７】図１６の操作フロー中の被検者選択ステップにおける被検者選択のフローを示す図である。
【図１８】図１６の操作フロー中のデータ計測ステップにおけるデータ計測のフローを示す図である。
【図１９】図１６の操作フロー中のアベレージング処理ステップにおけるアベレージング処理のフローを示す図である。
【図２０】図１６の操作フロー中のデータ解析ステップにおけるデータ解析のフローを示す図である。
【図２１】図１の生体磁場計測装置において行われるシステム調整のフローを示す図である。
【図２２】図２１のシステム調整フロー中の自動計算ステップにおける自動計算のフローを示す図である。
【図２３】図２１のシステム調整フロー中のＶOFF調整ステップにおけるＶOFF調整フローを示す図である。
【図２４】図１の生体磁場計測装置のデイスプレイ部に表示される被検者リスト画面を示す図である。
【図２５】図１の生体磁場計測装置のデイスプレイ部に表示されるデータ計測画面を示す図である。
【図２６】図１の生体磁場計測装置のデイスプレイ部に計測が終了したときに表示される波形確認画面を示す図である。
【図２７】図１の生体磁場計測装置のデイスプレイ部に表示されるアベレージング画面を示す図である。
【図２８】図１の生体磁場計測装置のデイスプレイ部に表示される単一波形表示画面を示す図である。
【図２９】図１の生体磁場計測装置のデイスプレイ部に表示される重ね波形表示画面を示す図である。
【図３０】図１の生体磁場計測装置のデイスプレイ部に表示されるグリッドマップ表示画面を示す図である。
【図３１】図１の生体磁場計測装置のデイスプレイ部に表示される等磁線図表示画面を示す図である。
【図３２】図１の生体磁場計測装置のデイスプレイ部に表示される伝播時間図表示画面を示す図である。
【図３３】図１の生体磁場計測装置のデイスプレイ部に表示される時間積分図表示画面を示す図である。
【図３４】図１の生体磁場計測装置のデイスプレイ部に表示されるシステム調整画面を示す図である。
【符号の説明】
【００９１】
１  磁気シールドルーム
２  被検者
３  ベッド
４  デユワ
５  自動補給装置
６  ＦＬＬ回路
７  増幅器・フイルター・増幅器
８  計算機
８−１  デイスプレイ部
８−２  キーボード
８−３  マウス
２０−１〜２０−８，２１−１〜２１−８，２２−１〜２２−８，２３−１〜２３−８，２４−１〜２４−８，２５−１〜２５−８，２６−１〜２６−８，２７−１〜２７−８  磁気センサ
１０，１０’，１０”，１１，１１’，１１”  コイル
１２，１２’，１２”  ＳＱＵＩＤ
１３，１４  センサ
３０  胸部
２６１  スクロールボックス
２６２  スクロールバー
２７１  しきい値カーソル
２７３〜２７５  スライダーカーソル
３１１，３１２，３２１，３３１〜３３４  カーソル
８０１  タイトルバー部
８０２  メニューバー部
８０３  ツールバー部
８０４  被検者情報部
８０５  解析データ部
８０６  操作領域部
８０８  ステータスバー部
８０７−１  メッセージバー部
８０７−２  日時表示部
８０８〜８１４  アイコン
【図１】
2004358279.tif 000003
【図２】
2004358279.tif 000004
【図３】
2004358279.tif 000005
【図４】
2004358279.tif 000006
【図５】
2004358279.tif 000007
【図６】
2004358279.tif 000008
【図７】
2004358279.tif 000009
【図８】
2004358279.tif 000010
【図９】
2004358279.tif 000011
【図１０】
2004358279.tif 000012
【図１１】
2004358279.tif 000013
【図１２】
2004358279.tif 000014
【図１３】
2004358279.tif 000015
【図１４】
2004358279.tif 000016
【図１５】
2004358279.tif 000017
【図１６】
2004358279.tif 000018
【図１７】
2004358279.tif 000019
【図１８】
2004358279.tif 000020
【図１９】
2004358279.tif 000021
【図２０】
2004358279.tif 000022
【図２１】
2004358279.tif 000023
【図２２】
2004358279.tif 000024
【図２３】
2004358279.tif 000025
【図２４】
2004358279.tif 000026
【図２５】
2004358279.tif 000027
【図２６】
2004358279.tif 000028
【図２７】
2004358279.tif 000029
【図２８】
2004358279.tif 000030
【図２９】
2004358279.tif 000031
【図３０】
2004358279.tif 000032
【図３１】
2004358279.tif 000033
【図３２】
2004358279.tif 000034
【図３３】
2004358279.tif 000035
【図３４】
2004358279.tif 000036